【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
水から堆積物を除去するための方法であって、
前記方法は、
フィルターチャンバーの下チャンバー中に堆積物を含有した雨水をインレットを通じて導入することを備え、
フィルターチャンバーの下チャンバーは、デッキによってフィルターチャンバーの上チャンバーから分離され、
デッキは、その上面に形成された連続した周辺部を形成する隆起部を有し、複数の穴が周辺部内でデッキに形成され、各穴は、その中に濾過エレメントを受け入れるようになっており、少なくとも一つの穴は、周辺部の外側においてデッキに形成され、
前記方法は、更に、
相当の量の堆積物を捕らえる、周辺部内の複数の濾過エレメントを通じて、堆積物を含有した雨水を上チャンバーの中に透過することと、
フィルターチャンバーの上チャンバーから濾過水を排出することと、を備え、
インレットからの流れがおさまると、デッキ上及び周辺部の内側に蓄積された水は、周辺部の内側に配置された濾過エレメントを通って下チャンバーの中に下方に流れ、そして周辺部の外側にあるデッキの少なくとも一つの穴を通じて上方に流れ、それによって、濾過水で周辺部の内側に配置された濾過エレメントを逆洗する、方法。
【請求項２】
請求項１記載の方法において、
周辺部の外側にある少なくとも一つの穴の少なくとも一つの濾過エレメントを更に備える、方法。
【請求項３】
請求項１記載の方法において、
相当の量の捕らえられた粒子を除去するために濾過エレメントを振動することを更に備える、方法。
【請求項４】
液体から浮遊粒子を除去するためのシステムであって、
前記システムは、
内部チャンバーを画定するフィルターチャンバーと、
内部チャンバー内に配置されると共に、フィルターチャンバーを上チャンバーと下チャンバーとに分割するデッキであって、穴の各々が濾過エレメントを受け入れるようになった複数の穴を有するデッキと、
デッキより下の位置において液体をフィルターチャンバーに連通するインレットラインと、
液体が上チャンバーを出るのを許容するためのデッキ上のアウトレットと、
デッキの上面上に配置された隆起部であって、デッキの上面上の連続した周辺部を形成する隆起部と、
周辺部内に配置された複数の濾過エレメントと、
周辺部の外側に配置された少なくとも一つの濾過エレメントと、を備え、
インレットからの流れがおさまると、デッキ上及び周辺部の内側に蓄積された水は、周辺部の内側に配置された濾過エレメントを通じて逆方向に流れ、下チャンバーの中に下方に流れ、周辺部の外側にあるデッキの開口の一つ及び周辺部の外側に配置された少なくとも一つの濾過エレメントを通じて上方に流れ、それによって、濾過水で周辺部の内側に配置された濾過エレメントを逆洗する、システム。
【請求項５】
請求項４記載のシステムにおいて、
濾過エレメントは、少なくとも一つの細長い濾過可能なエレメントと、蓋とを備える、システム。
【請求項６】
請求項４記載のシステムにおいて、
濾過エレメントは、フィルターカートリッジを備える、システム。
【請求項７】
液体から浮遊粒子を除去するためのシステムであって、
前記システムは、
内部チャンバーを画定するフィルターチャンバーと、
フィルターチャンバーを上チャンバーと下チャンバーとに分割する内部チャンバー内に配置されたデッキであって、穴の各々が濾過エレメントを受け入れるようになった複数の穴が形成されたデッキと、
デッキより下の位置において流入液をフィルターチャンバーに連通するインレットラインと、
液体が上チャンバーを出るのを許容するためのデッキ上のアウトレットと、
デッキの上面上に配置された隆起部であって、デッキの上面上の連続した周辺部を形成する隆起部と、
周辺部内に配置された複数の濾過エレメントと、
周辺部の外側にある少なくとも一つの穴と、を備え、
インレットからの流れがおさまると、デッキ上及び周辺部の内側に蓄積された水は、周辺部の内側に配置された濾過エレメントを通じて逆方向に流れ、下チャンバーの中に下方に流れ、周辺部の外側にあるデッキの少なくとも一つの開口を通じて上方に流れ、それによって、濾過水で周辺部の内側に配置された濾過エレメントを逆洗する、システム。
【請求項８】
請求項７記載のシステムにおいて、
インレットラインは、液体を、スカートの外側のフィルターチャンバーの中に接線方向に沿って導入する、システム。
【請求項９】
請求項７記載のシステムにおいて、
インレットラインは、スカートが下チャンバーに終端する場所の上方においてフィルターチャンバーに連結される、システム。
【請求項１０】
請求項７記載のシステムにおいて、
デッキの下面に配置されたスカートを更に備える、システム。
【請求項１１】
請求項７記載のシステムにおいて、
スカートは、濾過エレメントの少なくとも一つを囲む、システム。
【請求項１２】
請求項７記載のシステムにおいて、
スカートは、濾過エレメントの全てを囲む、システム。
【請求項１３】
液体から浮遊粒子を除去するための、流れる雨水のシステムであって、
前記システムは、
内部チャンバーを画定するフィルターチャンバーと、
内部チャンバー内に配置されると共に、フィルターチャンバーを上チャンバーと下チャンバーとに分割するデッキであって、穴の各々が濾過エレメントを有する複数の穴を有するデッキと、
液体を下チャンバーの中に導入するためのインレットラインと、
液体が上チャンバーを出るのを許容するためのデッキ上のアウトレットと、
デッキの上面上に配置された隆起部と、を備え、
隆起部は、デッキの上面上の連続した周辺部を形成すると共に周辺部内に配置された少なくとも一つの濾過エレメントを有し、
インレットからの流れがおさまると、デッキ上及び周辺部の内側に蓄積された水は、周辺部の内側に配置された濾過エレメントを通じて逆方向に流れ、下チャンバーの中に下方に流れ、周辺部の外側にあるデッキの開口を通じて上方に流れ、それによって、濾過水で周辺部の内側に配置された濾過エレメントを逆洗する、システム。
【請求項１４】
請求項１３記載のシステムにおいて、
濾過エレメントの少なくとも一つは、周辺部の外側に配置される、システム。
【請求項１５】
請求項１３記載のシステムにおいて、
濾過エレメントは、少なくとも一つの細長いフィルターエレメントと、蓋とを備える、システム。
【請求項１６】
請求項１３記載のシステムにおいて、
デッキより下に液体を導入するための接線方向に沿ったインレットラインを更に備える、システム。
【請求項１７】
請求項１３記載のシステムにおいて、
デッキは、上チャンバーから下チャンバーへのアクセス路を備える、システム。
【請求項１８】
請求項１３記載のシステムにおいて、
濾過エレメントの少なくとも一つを囲むスカートを更に備える、システム。
【請求項１９】
請求項１３記載のシステムにおいて、
濾過エレメントの全てを囲むスカートを更に備える、システム。
【請求項２０】
請求項１３記載のシステムにおいて、
濾過エレメントは、フィルターカートリッジを備える、システム。
【請求項２１】
液体から浮遊粒子を除去するためのシステムであって、
前記システムは、
内部チャンバーを画定するフィルターチャンバーと、
内部チャンバー内に配置されると共に、フィルターチャンバーを上チャンバーと下チャンバーとに分割するデッキであって、穴の各々が濾過カートリッジを受け入れるようになった複数の穴を有するデッキと、
流入液をフィルターチャンバーに連通するインレットラインと、
デッキの上面上に配置された隆起部と、を備え、
隆起部は、デッキの上面上のアウトレット堰として作用し、
濾過のために濾過カートリッジを通じて上方に動く液体が隆起部を超えて通過することによりフィルターチャンバーを出てフィルターチャンバーのアウトレットに達し、そして、フィルターチャンバーへの流れがおさまると隆起部の背後のデッキ上に蓄積された液体が濾過カートリッジを逆方向に流れて濾過カートリッジを逆洗するように、濾過カートリッジの少なくとも一つが配置される、システム。
【請求項２２】
請求項２１記載のシステムにおいて、
隆起部は、デッキの上面上の周辺部を形成し、
濾過カートリッジの少なくとも一つは、周辺部内にあり、
フィルターチャンバーへの流れがおさまると周辺部の内側のデッキ上に蓄積された液体が濾過カートリッジを逆方向に流れて濾過カートリッジを逆洗する、システム。
【請求項２３】
請求項２１記載のシステムにおいて、
濾過カートリッジの少なくとも一つは、フィルターチャンバーの隆起部とアウトレットとの間に配置され、
フィルターチャンバーへの流れがおさまると隆起部の背後の濾過カートリッジを逆方向に流れる液体は、下チャンバーに入り、そして、隆起部とアウトレットとの間に配置された濾過カートリッジを上方に流れる、システム。
【請求項２４】
請求項２１記載のシステムにおいて、
一つ以上の濾過カートリッジは、多数の細長い筒状のフィルターアッセンブリからなり、その細長い筒状のフィルターアッセンブリの各々は、蓋から下方に延在する、システム。
【請求項２５】
請求項２１記載のシステムにおいて、
デッキの下面上に配置されると共に、デッキの下に延在して下チャンバーの中に延在するスカートを更に備え、
スカートは、濾過カートリッジの少なくとも一つを囲む、システム。